【手続補正書】
【提出日】平成16年11月16日(2004.11.16)
【手続補正１】
【補正対象書類名】明細書
【補正対象項目名】発明の名称
【補正方法】変更
【補正の内容】
【発明の名称】画像表示装置、携帯機器、機器間通信システム、機器間通信方法及び記憶媒体
【手続補正２】
【補正対象書類名】明細書
【補正対象項目名】特許請求の範囲
【補正方法】変更
【補正の内容】
【特許請求の範囲】
【請求項１】
コンピュータ等の上位装置と接続される画像表示装置であって、
着脱自在の携帯機器の着脱を検知する検知手段と、
前記検知手段により前記携帯機器が装着されたことを検知したとき、前記携帯機器からＩＤ情報を読み出す読出手段と、
前記読み出したＩＤ情報に基づき、該ＩＤ情報に対応する個人情報へのアクセスを許可する制御手段とを有することを特徴とする画像表示装置。
【請求項２】
前記制御手段は、パスワードを要求した後に前記アクセスを許可することを特徴とする請求項１に記載の画像処理装置。
【請求項３】
前記装着された携帯機器へ充電する充電手段を更に有することを特徴とする請求項１又は２に記載の画像表示装置。
【請求項４】
前記個人情報は、前記画像表示装置に接続されるホスト装置に格納されていることを特徴とする請求項１乃至３の何れか１項に記載の画像表示装置。
【請求項５】
前記検知手段により前記携帯機器の装着が検知されたとき、前記携帯機器が取り外されてから所定時間以内に装着されたか否かを判断する判断手段を更に有し、
前記判断手段により前記所定の時間が経過していたと判断された場合、前記制御手段は、パスワードを要求した後に前記アクセスを許可することを特徴とする請求項２に記載の画像表示装置。
【請求項６】
前記所定時間以内に装着された携帯機器のＩＤ情報が異なる場合、前記制御手段は、使用中である旨のメッセージを表示することを特徴とする請求項５に記載の画像表示装置。
【請求項７】
上位装置に接続される画像表示装置に装着される携帯機器であって、
前記携帯機器に割当てられたＩＤ情報を電波により送信する第１の送信手段と、
前記ＩＤ情報を端子を介して送信する第２の送信手段と、
前記第１の送信手段による前記ＩＤ情報の送信を指示する指示手段とを有することを特徴とする携帯機器。
【請求項８】
前記画像表示装置に装着された状態で、前記画像表示装置からの充電を受けるための端子を更に有することを特徴とする請求項７に記載の携帯機器。
【請求項９】
携帯機器と、当該携帯機器が装着される画像表示装置とからなる機器間通信システムであって、
前記携帯機器は、
前記携帯機器に割当てられたＩＤ情報を電波により送信する第１の送信手段と、
前記ＩＤ情報を端子を介して送信する第２の送信手段と、
前記第１の送信手段による前記ＩＤ情報の送信を指示する指示手段とを有し、
前記画像表示装置は、
前記携帯機器の着脱を検知する検知手段と、
前記検知手段により前記携帯機器が装着されたことを検知したとき、前記携帯機器からＩＤ情報を読み出す読出手段と、
前記読み出したＩＤ情報に基づき、該ＩＤ情報に対応する個人情報へのアクセスを許可する制御手段とを有することを特徴とする機器間通信システム。
【請求項１０】
コンピュータ等の上位装置と接続される画像表示装置における機器間通信方法であって、
着脱自在の携帯機器の着脱を検知する検知ステップと、
前記検知ステップにより前記携帯機器が装着されたことを検知したとき、前記携帯機器からＩＤ情報を読み出す読出ステップと、
前記読み出したＩＤ情報に基づき、該ＩＤ情報に対応する個人情報へのアクセスを許可する制御ステップとを有することを特徴とする機器間通信方法。
【請求項１１】
前記制御ステップにおいて、パスワードを要求した後に前記アクセスを許可することを特徴とする請求項１０に記載の機器間通信方法。
【請求項１２】
前記検知ステップにより前記携帯機器の装着が検知されたとき、前記携帯機器が取り外されてから所定時間以内に装着されたか否かを判断する判断ステップを更に有し、
前記判断ステップにより前記所定の時間が経過していたと判断された場合、前記制御ステップは、パスワードを要求した後に前記アクセスを許可することを特徴とする請求項１１に記載の機器間通信方法。
【請求項１３】
前記所定時間以内に装着された携帯機器のＩＤ情報が異なる場合、前記制御ステップにおいて、使用中である旨のメッセージを表示することを特徴とする請求項１２に記載の機器間通信方法。
【請求項１４】
請求項１０乃至１３に記載の機器間通信方法をコンピュータにより実現するためのコンピュータプログラムを格納した記憶媒体。
【手続補正３】
【補正対象書類名】明細書
【補正対象項目名】０００１
【補正方法】変更
【補正の内容】
【０００１】
【発明の属する技術分野】
本発明は、画像表示装置、携帯機器、機器間通信システム、機器間通信方法及び記憶媒体に関し、更に詳しくは、携帯電話機等の携帯機器を着脱自在に収納する場合等に好適な画像表示装置、携帯機器、機器間通信システム、機器間通信方法及び記憶媒体に関する。
【手続補正４】
【補正対象書類名】明細書
【補正対象項目名】０００８
【補正方法】変更
【補正の内容】
【０００８】
本発明は、上述した点に鑑みなされたものであり、セキュリティシステムとホストコンピュータへのアクセスを同一の携帯機器で実現可能とすることで、携帯機器を不必要に多く持たずに済むようにした画像表示装置、携帯機器、機器間通信システム、機器間通信方法及び記憶媒体を提供することを第一の目的とする。
【手続補正５】
【補正対象書類名】明細書
【補正対象項目名】０００９
【補正方法】変更
【補正の内容】
【０００９】
また、本発明は、上述した点に鑑みなされたものであり、充電が必要な携帯機器を使用する場合において別個に充電器を用意することを不要とすることで、電源コンセントの削減やスペース効率の向上を図った画像表示装置、携帯機器、機器間通信システム、機器間通信方法及び記憶媒体を提供することを第二の目的とする。
【手続補正６】
【補正対象書類名】明細書
【補正対象項目名】００１０
【補正方法】変更
【補正の内容】
【００１０】
また、本発明は、上述した点に鑑みなされたものであり、携帯機器を画像表示装置に載置するだけでコンピュータシステムを自動的に立ち上げ、使用者の個人情報にもアクセス可能とすることで、面倒な操作を不要とし、またアクセス許可をパスワードとすることで、機密保持性を向上させた画像表示装置、携帯機器、機器間通信システム、機器間通信方法及び記憶媒体を提供することを第三の目的とする。
【手続補正７】
【補正対象書類名】明細書
【補正対象項目名】００１１
【補正方法】変更
【補正の内容】
【００１１】
また、本発明は、上述した点に鑑みなされたものであり、画像表示装置またはコンピュータシステムの確実なオン−オフを可能とすることで、電源の切り忘れ等による無駄なエネルギ消費を回避可能とした画像表示装置、携帯機器、機器間通信システム、機器間通信方法及び記憶媒体を提供することを第四の目的とする。
【手続補正８】
【補正対象書類名】明細書
【補正対象項目名】００１２
【補正方法】変更
【補正の内容】
【００１２】
また、本発明は上述した点に鑑みなされたものであり，画像表示装置またはコンピュータシステムの使用中に携帯機器を携帯して一時離席するときに、使用中の画像表示装置またはコンピュータシステムと携帯機器とのデータ通信を可能にすることで、利便性と操作性を向上させた画像表示装置、携帯機器、機器間通信システム、機器間通信方法及び記憶媒体を提供することを第五の目的とする。
【手続補正９】
【補正対象書類名】明細書
【補正対象項目名】００１３
【補正方法】変更
【補正の内容】
【００１３】
【課題を解決するための手段】
上記目的を達成するため、本発明の画像表示装置は、コンピュータ等の上位装置と接続される画像表示装置であって、着脱自在の携帯機器の着脱を検知する検知手段と、前記検知手段により前記携帯機器が装着されたことを検知したとき、前記携帯機器からＩＤ情報を読み出す読出手段と、前記読み出したＩＤ情報に基づき、該ＩＤ情報に対応する個人情報へのアクセスを許可する制御手段とを有することを特徴とする。
【手続補正１０】
【補正対象書類名】明細書
【補正対象項目名】００１４
【補正方法】変更
【補正の内容】
【００１４】
上記目的を達成するため、本発明の携帯機器は、上位装置に接続される画像表示装置に装着される携帯機器であって、前記携帯機器に割当てられたＩＤ情報を電波により送信する第１の送信手段と、前記ＩＤ情報を端子を介して送信する第２の送信手段と、前記第１の送信手段による前記ＩＤ情報の送信を指示する指示手段とを有することを特徴とする。
【手続補正１１】
【補正対象書類名】明細書
【補正対象項目名】００１５
【補正方法】変更
【補正の内容】
【００１５】
上記目的を達成するため、本発明の機器間通信システムは、携帯機器と、当該携帯機器が装着される画像表示装置とからなる機器間通信システムであって、前記携帯機器は、ＩＤ情報を記憶する記憶手段と、前記ＩＤ情報を電波により送信する第１の送信手段と、前記ＩＤ情報を端子を介して送信する第２の送信手段と、前記第１の送信手段による前記ＩＤ情報の送信を指示する指示手段とを有し、前記画像表示装置は、前記携帯機器の着脱を検知する検知手段と、前記検知手段により前記携帯機器が装着されたことを検知したとき、前記携帯機器からＩＤ情報を読み出す読出手段と、前記読み出したＩＤ情報に基づき、該ＩＤ情報に対応する個人情報へのアクセスを許可する制御手段とを有することを特徴とする。
【手続補正１２】
【補正対象書類名】明細書
【補正対象項目名】００１６
【補正方法】変更
【補正の内容】
【００１６】
上記目的を達成するため、本発明の機器間通信方法は、コンピュータ等の上位装置と接続される画像表示装置における機器間通信方法であって、着脱自在の携帯機器の着脱を検知する検知ステップと、前記検知ステップにより前記携帯機器が装着されたことを検知したとき、前記携帯機器からＩＤ情報を読み出す読出ステップと、前記読み出したＩＤ情報に基づき、該ＩＤ情報に対応する個人情報へのアクセスを許可する制御ステップとを有することを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】
【手続補正５９】
【補正対象書類名】明細書
【補正対象項目名】００６３
【補正方法】削除
【補正の内容】
【手続補正６０】
【補正対象書類名】明細書
【補正対象項目名】００６４
【補正方法】削除
【補正の内容】
【手続補正６１】
【補正対象書類名】明細書
【補正対象項目名】００６５
【補正方法】削除
【補正の内容】
【手続補正６２】
【補正対象書類名】明細書
【補正対象項目名】００６６
【補正方法】削除
【補正の内容】
【手続補正６３】
【補正対象書類名】明細書
【補正対象項目名】００６７
【補正方法】削除
【補正の内容】
【手続補正６４】
【補正対象書類名】明細書
【補正対象項目名】００６８
【補正方法】削除
【補正の内容】
【手続補正６５】
【補正対象書類名】明細書
【補正対象項目名】００６９
【補正方法】削除
【補正の内容】
【手続補正６６】
【補正対象書類名】明細書
【補正対象項目名】００７０
【補正方法】削除
【補正の内容】
【手続補正６７】
【補正対象書類名】明細書
【補正対象項目名】００８６
【補正方法】変更
【補正の内容】
【００８６】
図１は本発明の第１の実施の形態に係る画像表示装置４０１の制御系、携帯電話機、ホストコンピュータの構成例を模式的に示したブロック図である。画像表示装置４０１は、機能制御回路１０１、駆動制御回路１０２、画像表示部４０４、携帯電話機収納トレイ４０５、検知スイッチアクチュエータ５０１、充電端子５０２、データ通信端子５０６、電源スイッチ４０６、電源（図示略）等を備える構成となっている。
【手続補正６８】
【補正対象書類名】明細書
【補正対象項目名】０１２６
【補正方法】変更
【補正の内容】
【０１２６】
【発明の効果】
以上説明したように、本発明の画像表示装置によれば、携帯機器を画像表示装置に装着することにより、使用者の個人情報にアクセス可能とすることができる。
【手続補正６９】
【補正対象書類名】明細書
【補正対象項目名】０１２７
【補正方法】変更
【補正の内容】
【０１２７】
また、本発明によれば、個人情報へのアクセスを許可するときにパスワードを要求するため、機密保持性が高い。
【手続補正７０】
【補正対象書類名】明細書
【補正対象項目名】０１２８
【補正方法】変更
【補正の内容】
【０１２８】
また、本発明によれば、携帯機器への充電を別個の充電器を用意することなく行える。
【手続補正７１】
【補正対象書類名】明細書
【補正対象項目名】０１２９
【補正方法】変更
【補正の内容】
【０１２９】
また、本発明によれば、携帯機器を画像表示装置に装着することにより、ホスト機器に格納された使用者の個人情報にアクセス可能とすることができる。
【手続補正７２】
【補正対象書類名】明細書
【補正対象項目名】０１３０
【補正方法】変更
【補正の内容】
【０１３０】
また、本発明によれば、一時的な携帯機器の取り外しに対応することができる。
【手続補正７３】
【補正対象書類名】明細書
【補正対象項目名】０１３１
【補正方法】変更
【補正の内容】
【０１３１】
また、本発明によれば、画像表示装置が使用中であることを知らせることができる。
【手続補正７４】
【補正対象書類名】明細書
【補正対象項目名】０１３２
【補正方法】削除
【補正の内容】
【手続補正７５】
【補正対象書類名】明細書
【補正対象項目名】０１３３
【補正方法】削除
【補正の内容】
【手続補正７６】
【補正対象書類名】明細書
【補正対象項目名】０１３４
【補正方法】削除
【補正の内容】
【手続補正７７】
【補正対象書類名】明細書
【補正対象項目名】０１３５
【補正方法】削除
【補正の内容】
【手続補正７８】
【補正対象書類名】明細書
【補正対象項目名】０１３６
【補正方法】削除
【補正の内容】
【手続補正７９】
【補正対象書類名】明細書
【補正対象項目名】０１３７
【補正方法】削除
【補正の内容】
【手続補正８０】
【補正対象書類名】明細書
【補正対象項目名】０１３８
【補正方法】削除
【補正の内容】
【手続補正８１】
【補正対象書類名】明細書
【補正対象項目名】０１３９
【補正方法】削除
【補正の内容】
【手続補正８２】
【補正対象書類名】明細書
【補正対象項目名】０１４０
【補正方法】削除
【補正の内容】
【手続補正８３】
【補正対象書類名】明細書
【補正対象項目名】０１４１
【補正方法】削除
【補正の内容】
【手続補正８４】
【補正対象書類名】明細書
【補正対象項目名】０１４２
【補正方法】削除
【補正の内容】
【手続補正８５】
【補正対象書類名】明細書
【補正対象項目名】０１４３
【補正方法】削除
【補正の内容】
【手続補正８６】
【補正対象書類名】明細書
【補正対象項目名】０１４４
【補正方法】削除
【補正の内容】
【手続補正８７】
【補正対象書類名】明細書
【補正対象項目名】０１４５
【補正方法】削除
【補正の内容】
【手続補正８８】
【補正対象書類名】明細書
【補正対象項目名】０１４６
【補正方法】削除
【補正の内容】
【手続補正８９】
【補正対象書類名】明細書
【補正対象項目名】０１４７
【補正方法】削除
【補正の内容】
【手続補正９０】
【補正対象書類名】明細書
【補正対象項目名】０１４８
【補正方法】削除
【補正の内容】
【手続補正９１】
【補正対象書類名】明細書
【補正対象項目名】０１４９
【補正方法】削除
【補正の内容】
【手続補正９２】
【補正対象書類名】明細書
【補正対象項目名】０１５０
【補正方法】削除
【補正の内容】
【手続補正９３】
【補正対象書類名】明細書
【補正対象項目名】０１５１
【補正方法】削除
【補正の内容】
【手続補正９４】
【補正対象書類名】明細書
【補正対象項目名】０１５２
【補正方法】削除
【補正の内容】
【手続補正９５】
【補正対象書類名】明細書
【補正対象項目名】０１５３
【補正方法】削除
【補正の内容】
【手続補正９６】
【補正対象書類名】明細書
【補正対象項目名】０１５４
【補正方法】削除
【補正の内容】
【手続補正９７】
【補正対象書類名】明細書
【補正対象項目名】０１５５
【補正方法】削除
【補正の内容】
【手続補正９８】
【補正対象書類名】明細書
【補正対象項目名】０１５６
【補正方法】削除
【補正の内容】
【手続補正９９】
【補正対象書類名】明細書
【補正対象項目名】０１５７
【補正方法】削除
【補正の内容】
【手続補正１００】
【補正対象書類名】明細書
【補正対象項目名】０１５８
【補正方法】削除
【補正の内容】
【手続補正１０１】
【補正対象書類名】明細書
【補正対象項目名】０１５９
【補正方法】削除
【補正の内容】
【手続補正１０２】
【補正対象書類名】明細書
【補正対象項目名】０１６０
【補正方法】削除
【補正の内容】
【手続補正１０３】
【補正対象書類名】明細書
【補正対象項目名】０１６１
【補正方法】削除
【補正の内容】
【手続補正１０４】
【補正対象書類名】明細書
【補正対象項目名】０１６２
【補正方法】削除
【補正の内容】
【手続補正１０５】
【補正対象書類名】明細書
【補正対象項目名】０１６３
【補正方法】削除
【補正の内容】
【手続補正１０６】
【補正対象書類名】明細書
【補正対象項目名】０１６４
【補正方法】削除
【補正の内容】
【手続補正１０７】
【補正対象書類名】明細書
【補正対象項目名】０１６５
【補正方法】削除
【補正の内容】
【手続補正１０８】
【補正対象書類名】明細書
【補正対象項目名】０１６６
【補正方法】削除
【補正の内容】
【手続補正１０９】
【補正対象書類名】明細書
【補正対象項目名】０１６７
【補正方法】削除
【補正の内容】
【手続補正１１０】
【補正対象書類名】明細書
【補正対象項目名】０１６８
【補正方法】削除
【補正の内容】
【手続補正１１１】
【補正対象書類名】明細書
【補正対象項目名】０１６９
【補正方法】削除
【補正の内容】
【手続補正１１２】
【補正対象書類名】明細書
【補正対象項目名】０１７０
【補正方法】削除
【補正の内容】
【手続補正１１３】
【補正対象書類名】明細書
【補正対象項目名】０１７１
【補正方法】削除
【補正の内容】
【手続補正１１４】
【補正対象書類名】明細書
【補正対象項目名】０１７２
【補正方法】削除
【補正の内容】